(57)【要約】  スイッチング手段（７）に結合されたインダクタ（２）を備え、且つキャパシタ（４）を備える供給回路（１）が、インダクタ（２）とキャパシタ（４）の間に位置するインピーダンス（３）と、電流注入器（５）と、キャパシタ（４）の両端間の出力電圧のリップルを補償するために電流注入器（５）を制御するための変換器（６）を備えるフィードバック・ループとを備える。インピーダンス（３）は、出力位置と異なる位置で補償用電流の注入を可能にする。これは、出力電圧のリップルの可能な検出数を増大し、負荷がキャパシタ（４）の両端間に多くのノイズを導入する場合でさえ出力電圧のリップルを検出することを可能にする。変換器（６）は、インピーダンス（３）の両端間の、又はインピーダンス（３）とキャパシタ（４）を備える直列回路の両端間の電圧を測定することによって、インピーダンス（３）を介して検出信号を検出する。インピーダンス（３）は、抵抗器又は他のインダクタを備える。
2009537112.tif 000002
【特許請求の範囲】
【請求項１】
スイッチング手段に結合された第１の電極を備え、且つ第２の電極を備えるインダクタと、
前記第２の電極に結合された第３の電極を備え、且つ第４の電極を備えるインピーダンスと、
前記第４の電極に結合された第５の電極を備え、且つ第６の電極を備えるキャパシタと、
前記第５の電極と前記第６の電極の間の電圧信号のリップルを補償するために前記第３の電極に結合された電流注入器と、
前記インピーダンスを介して検出信号を検出するための、また制御信号を前記電流注入器に供給するためのフィードバック・ループであって、前記検出信号を前記制御信号に変換するための変換器を備えるフィードバック・ループと
を備える供給回路。
【請求項２】
前記フィードバック・ループの複数の入力が前記第３の電極に、及び前記第４の電極又は前記第６の電極に結合される、請求項１に記載の供給回路。
【請求項３】
前記インピーダンスが他のインダクタを備える、請求項１に記載の供給回路。
【請求項４】
前記コンバータが、前記検出信号を増幅するための増幅器を備え、且つ増幅された検出信号を整流するための整流器を備え、且つ前記増幅され整流された検出信号を積分するための積分器を備え、前記制御信号が、前記増幅され整流され積分された検出信号を備える、請求項１に記載の供給回路。
【請求項５】
前記整流器が、前記増幅された検出信号をデューティ・サイクル信号で乗算するための乗算器を備える、請求項１に記載の供給回路。
【請求項６】
前記積分器が、前記増幅され整流された検出信号を鋸歯信号で乗算するための乗算器を備える、請求項４に記載の供給回路。
【請求項７】
前記変換器が、前記検出信号を濾波するために、且つ／又は前記増幅された検出信号を濾波するために１つ又は複数の高域通過フィルタをさらに備える、請求項４に記載の供給回路。
【請求項８】
前記スイッチング手段が複数のトランジスタを備え、前記供給回路がスイッチ・モード供給回路である、請求項１に記載の供給回路。
【請求項９】
請求項１に記載の供給回路を備える装置。
【請求項１０】
スイッチング手段に結合された第１の電極を備え、且つ第２の電極を備えるインダクタと、
前記第２の電極に結合された第３の電極を備え、且つ第４の電極を備えるインピーダンスと、
前記第４の電極に結合された第５の電極を備え、且つ第６の電極を備えるキャパシタと
を備える供給回路を動作させるための方法であって、
前記第５の電極と前記第６の電極の間の電圧信号のリップルを、前記第３の電極に結合された電流注入器を介して補償するステップと、
前記インピーダンスを介して検出信号を検出し、また前記検出信号を制御信号に変換するための変換器を備えるフィードバック・ループを介して前記制御信号を前記電流注入器に供給するステップと
を備える方法。
【請求項１１】
前記供給回路を動作させるための請求項１０に記載のステップを実施するためのコンピュータ・プログラム製品。
【発明の詳細な説明】
【技術分野】
【０００１】
本発明は、供給回路、供給回路を備える装置、供給回路を動作させるための方法、及び供給回路を動作させるためのコンピュータ・プログラム製品に関する。
【０００２】
そのような供給回路の例は、スイッチ・モード電源回路及びスイッチング・パワー・コンバータである。そのような装置の例は、移動電話及びパーソナル・コンピュータ、並びに他の民生品及び非民生品である。
【背景技術】
【０００３】
従来技術の供給回路は、スイッチング・パワー・コンバータの出力リップル打消し用のフィード・フォワード・アクティブ・フィルタを開示する米国特許第５６６８４６４号から知られている。従来技術のスイッチング・パワー・コンバータはインダクタを備える。インダクタの第１の側はスイッチに結合され、インダクタの第２の側はキャパシタと負荷の並列回路に結合される。スイッチをスイッチングすることにより、キャパシタの両端間の出力電圧にリップル電圧が生じる。このリップル電圧を補償するために、従来技術のスイッチング・パワー・コンバータは、リップル電圧を検出するための、及び検出されたリップル電圧から補償用電流を導出するための複雑な回路を備える。この複雑な回路は、例えば２つの積分器と、２つの乗算器と、増幅器とを備える。さらに、従来技術のスイッチング・パワー・コンバータは、補償用電流をキャパシタと負荷の並列回路に注入するための変圧器を備える。
【発明の開示】
【発明が解決しようとする課題】
【０００４】
既知の供給回路は、とりわけ、負荷と干渉するおそれがある共鳴注入回路（ｒｅｓｏｎａｎｔ  ｉｎｊｅｃｔｉｏｎ  ｃｉｒｃｕｉｔ）を備えることにより不利である。さらに、負荷がキャパシタの両端間に多くのノイズを導入する場合、リップル電圧は、このキャパシタの両端間で検出するのが困難になるおそれがある。
【０００５】
本発明の目的は、とりわけ、負荷がキャパシタの両端間に比較的多くのノイズを導入する場合でさえこのキャパシタの両端間のリップル電圧を検出することができる供給回路を提供することである。
【０００６】
本発明の他の目的は、とりわけ、負荷がキャパシタの両端間に比較的多くのノイズを導入する場合でさえこのキャパシタの両端間のリップル電圧を検出することができる供給回路を備える装置を提供すること、及び、負荷がキャパシタの両端間に比較的多くのノイズを導入する場合でさえこのキャパシタの両端間のリップル電圧を検出することができる供給回路を動作させるための方法及びコンピュータ・プログラム製品を提供することである。
【課題を解決するための手段】
【０００７】
本発明による供給回路は、スイッチング手段に結合された第１の電極を備え、且つ第２の電極を備えるインダクタと、前記第２の電極に結合された第３の電極を備え、且つ第４の電極を備えるインピーダンスと、前記第４の電極に結合された第５の電極を備え、且つ第６の電極を備えるキャパシタと、前記第５の電極と第６の電極の間の電圧信号のリップルを補償するために前記第３の電極に結合された電流注入器と、前記インピーダンスを介して検出信号を検出するための、また制御信号を前記電流注入器に供給するためのフィードバック・ループであって、前記検出信号を前記制御信号に変換するための変換器を備えるフィードバック・ループとを備える。
【０００８】
前記第５及び前記第６の電極は例えば供給回路の複数の出力を構成する。これらの出力と異なるポイントで補償用電流を注入することにより、出力電圧のリップルは、インピーダンスを介して、複数の道筋で検出することができる。その結果、負荷がキャパシタの両端間に多くのノイズを導入する場合でさえ、リップル電圧は、依然として、しかし今やインピーダンスを介して、検出することができる。
【０００９】
前記電流注入器は例えば米国特許第５９５５９２３号に開示されているものなど、プッシュプル増幅器の形態にある電流源を備えるが、他の種類の増幅器、及び他の種類の電流源を排除しない。別法として、電流注入器は、変圧器を備えてもよい。検出信号は、例えば他の電圧信号を備えるが、磁界など他の種類の検出信号を排除しない。
【００１０】
本発明による供給回路の一実施形態は、前記フィードバック・ループの複数の入力が前記第３の電極に、及び前記第４の電極又は前記第６の電極に結合されることによって規定される。この場合には、出力電圧のリップルは、例えばインピーダンスの両端間の電圧を測定する、又は例えばインピーダンスとキャパシタの直列回路の両端間の電圧を測定することによって検出される。
【００１１】
インピーダンスは例えば抵抗器又は抵抗を有する回路板上のトラックを備える。しかし、その場合には、ＤＣ電圧がこのインピーダンスの両端間に存在することになり、インピーダンスの両端間のＡＣ電圧が補償フィードバック・ループ用に使用されるので、このＤＣ電圧は濾波する必要がある。別法として、増幅器と、その後に続く高域通過フィルタを使用し、インピーダンスの両端間の電圧を増幅し、次いでＤＣ成分を除去するために、増幅された電圧を高域通過フィルタに通してもよく、あるいは高域通過フィルタと、その後に続く増幅器を使用し、ＤＣ成分を除去するためにインピーダンスの両端間の電圧を高域通過フィルタに通し、次いで濾波された電圧を増幅してもよい、などがある。さらに、抵抗器又は抵抗の形態にあるインピーダンスは、電力を放散することになる。
【００１２】
本発明による供給回路は、濾波用キャパシタを前記第３及び第６の電極に結合することによってさらに改善されることができる。そのような濾波用キャパシタは、負荷から生じる高周波ノイズを濾波するように、キャパシタより小さい値を有することができる。
【００１３】
本発明による供給回路の一実施形態は、前記インピーダンスが他のインダクタをさらに備えることによって規定される。この場合には、抵抗器又は抵抗の形態にあるインピーダンスを使用することに比べて、ＤＣ電圧がインピーダンスの両端間でより小さくなり、電力の放散がより小さくなる。他のインダクタの形態にあるインピーダンスは、例えばインダクタ又はインダクタンスを有する回路板上のトラックを備える。
【００１４】
本発明による供給回路の一実施形態は、前記コンバータが、前記検出信号を増幅するための増幅器を備え、且つ増幅された検出信号を整流するための整流器を備え、且つ前記増幅され整流された検出信号を積分するための積分器を備え、前記制御信号が、前記増幅され整流され積分された検出信号を備えることによって規定される。これは、低複雑度のフィードバック・ループである。
【００１５】
本発明による供給回路の一実施形態は、前記整流器が、前記増幅された検出信号をデューティ・サイクル信号で乗算するための乗算器を備えることによって規定される。これは、低複雑度の整流器である。
【００１６】
一般に、線形（アナログ）乗算器は、これらの線形（アナログ）乗算器にはＤＣオフセットに問題が生じ得ることにより、デジタル乗算器に比べて供給回路の複雑度を増大することになる。完全なデジタル乗算器には、ＤＣオフセットに問題が生じない、タイミングが必要となる。同期整流器は、アナログ信号をデジタル信号で乗算することができ、従って線形乗算器ほどオフセットに敏感でない。同期整流を用いると、タイミングの問題も考慮される。同期整流を用いると、インピーダンスは、他のインダクタの形態にあることが好ましく、というのは、そうでない場合、インピーダンスが抵抗器の形態にある場合には、抵抗器の両端間の電圧と抵抗器を介した電流が同相であるため、デジタル乗算器のタイミングのために位相シフトなど他の信号処理を実施することが必要になるからである。
【００１７】
本発明による供給回路の一実施形態は、前記積分器が、前記増幅され整流された検出信号を鋸歯信号で乗算するための乗算器を備えることによって規定される。これは、低複雑度の整流器である。
【００１８】
本発明による供給回路の一実施形態は、前記変換器が、前記検出信号を濾波するために、且つ／又は前記増幅された検出信号を濾波するために１つ又は複数の高域通過フィルタをさらに備えることによって規定される。そのような高域通過フィルタはフィードバック・ループの性能を改善する。低域通過フィルタ及び帯域通過フィルタなど、他のフィルタを排除すべきではない。
【００１９】
本発明による供給回路の一実施形態は、前記スイッチング手段が複数のトランジスタを備え、前記供給回路がスイッチ・モード供給回路であることによって規定される。
【００２０】
本発明による装置の実施形態、及び本発明による方法の実施形態、及び本発明によるコンピュータ・プログラム製品の実施形態は、本発明による供給回路の実施形態に対応する。
【００２１】
本発明は、とりわけ供給回路の負荷が供給回路の出力キャパシタの両端間に多くのノイズを導入し、その結果このキャパシタの両端間のリップル電圧を検出するのが困難になるおそれがあるという洞察に基づくものであり、また、とりわけ補償用電流は出力キャパシタの電極と異なるポイントで注入すべきであるという基本思想に基づくものである。
【００２２】
本発明は、とりわけ負荷が出力キャパシタの両端間に比較的多くのノイズを導入する場合でさえこの出力キャパシタの両端間のリップル電圧を検出することができる供給回路を提供するという課題を解決し、とりわけ出力電圧のリップル電圧は、複数の道筋で検出することができる点で有利である。
【００２３】
本発明のこれらの、及び他の態様は、以下に述べられている実施形態から明らかになり、それらを参照して解明されよう。
【発明を実施するための最良の形態】
【００２４】
図１に示されている本発明による供給回路１は、スイッチング手段７に結合された第１の電極１１と第２の電極１２とを有するインダクタ２を備え、且つ第２の電極１２に結合された第３の電極１３と第４の電極１４とを有するインピーダンス３を備え、且つ第４の電極１４に結合された第５の電極１５と第６の電極１６とを有するキャパシタ４を備える。スイッチング手段７は、第１の電極１１に及び入力電極１７に結合された第１のスイッチを備え、且つ第１の電極１１に及び他の入力電極１８に結合された第２のスイッチを備える。入力電極１７と入力電極１８の間には、例えば入力電極１７及び１８で提供される、整流されたＡＣ電圧信号を平滑化するために、他のキャパシタ８が存在する。スイッチング手段７は、当技術分野で共通の方法で動作され、それにより、例えば第１のモードでは、第１のスイッチが導通状態になることができ、且つ第２のスイッチが非導通状態になることができ、第２のモードでは、第１のスイッチが非導通状態になることができ、且つ第２のスイッチが導通状態になることができる、などがある。スイッチは、例えばトランジスタを備え、供給回路１は、例えばスイッチ・モード（電力）供給回路である。
【００２５】
また、本発明による供給回路１は、第５の電極１５と第６の電極１６の間のキャパシタ４の両端間の電圧信号のリップルを補償するために第３の電極１３に結合された電流注入器５を備え、且つインピーダンス３を介して検出信号を検出するための、また制御信号を電流源５に供給するためのフィードバック・ループを備える。このフィードバック・ループは、検出信号を制御信号に変換するための変換器６を備える。換言すれば、変換器６の入力のうちの１つは、電極１３及び１４の一方に結合される。第４の電極１４及び第５の電極１５は、さらに出力電極１９に結合され、第６の電極１６は、さらに他の入力電極１８に、及び他の出力電極２０に結合される。
【００２６】
電流注入器５に補償用電流を、例えば電極１５及び１６（１９及び２０）によって構成された複数の出力と異なるポイントで注入させることにより、キャパシタ４の両端間の出力電圧のリップルは、複数の道筋で検出することができる。その結果、負荷がキャパシタ４の両端間に多くのノイズを導入する場合でさえ、リップル電圧は、依然として、しかし今やインピーダンス３を介して、検出することができる。電流注入器５は、例えば米国特許第５９５５９２３号に開示されているものなど、プッシュプル増幅器を備えるが、他の種類の増幅器、及び他の種類の電流源を排除しない。別法として、電流注入器５は、変圧器を備えてもよい。電流注入器５は、正の電流又は負の電流を注入する。負の電流の注入は、当然ながら、正の電流の抽出などに対応する。検出信号は、例えば他の電圧信号を備えるが、磁界など他の種類の検出信号を排除しない。
【００２７】
好ましくは、フィードバック・ループの複数の入力は、第３の電極１３に、及び第４の電極１４又は第６の電極１６に結合される。換言すれば、変換器６の複数の入力が、第３の電極１３に、及び第４の電極１４又は第６の電極１６に結合されることが好ましい。この場合には、出力電圧のリップルは、例えばインピーダンス３の両端間の電圧を測定する、又は例えばインピーダンス３とキャパシタ４の直列回路の両端間の電圧を測定することによって検出される。
【００２８】
インピーダンス３は、例えば抵抗器、又は抵抗を有する回路板上のトラックを備える。しかし、その場合には、ＤＣ電圧がこのインピーダンスの両端間に存在することになり、このＤＣ電圧は、インピーダンスの両端間のＡＣ電圧が補償フィードバック・ループ用に使用される予定であるため、濾波する必要がある。別法として、増幅器と、その後に続く高域通過フィルタを使用し、インピーダンスの両端間の電圧を増幅し、次いでＤＣ成分を除去するために、増幅された電圧を高域通過フィルタに通してもよく、あるいは高域通過フィルタと、その後に続く増幅器を使用し、ＤＣ成分を除去するためにインピーダンスの両端間の電圧を高域通過フィルタに通し、次いで濾波された電圧を増幅してもよい、などがある。さらに、抵抗器又は抵抗の形態にあるインピーダンス３は、電力を放散することになる。
【００２９】
本発明による供給回路１は、濾波用キャパシタを第３の電極１３及び第６の電極１６に結合することによってさらに改善される可能性がある。そのような濾波用キャパシタは、負荷から生じる高周波ノイズを濾波するように、キャパシタより小さい値を有することができる。
【００３０】
好ましくは、インピーダンス３は、（理想的な状況で）ＤＣ電圧がインピーダンス３の両端間に存在することになることを回避するために、且つ（やはり理想的な状況で）電力が放散されることを回避するために、他のインダクタを備える。
【００３１】
変換器６は、例えば検出信号を濾波するために第３の電極１３及び第４の電極１４に結合された入力と、検出信号を増幅するために増幅器６２の入力に結合された出力とを有する高域通過フィルタ６１を備える。増幅器６２の出力は、増幅された検出信号をさらに濾波するために他の高域通過フィルタ６３の入力に結合され、他の高域通過フィルタ６３の出力は、増幅された信号を整流するために整流器６４の入力に結合される。整流器６４の出力は、整流され増幅された信号を積分するために積分器６５の入力に結合され、積分器６５の出力は、制御信号を電流注入器に供給するために電流注入器５の制御入力に結合される。この制御信号は、積分され整流され増幅器（及び（さらに）濾波された）信号を備える。
【００３２】
好ましくは、整流器６４は、増幅された検出信号をデューティ・サイクル信号で乗算するための乗算器を備え、積分器６５は、増幅され整流された検出信号を、インダクタの電流の波形に似た信号、例えばデューティ・サイクル信号から導出された鋸歯信号で乗算するための乗算器を備える。
【００３３】
図２に示されている、本発明による装置３０は、例えば整流されたＡＣ信号を供給するための回路３１を備える。この回路３１の出力は、供給回路１の入力電極１７及び１８に結合され、供給回路１の出力電極１９及び２０は、信号を受信、処理、及び／又は送信するための回路３２の入力に結合される。この場合には、供給回路１は、ダウン・コンバージョン又はバック（ｂｕｃｋ）コンバージョンを実施する。別法として、供給回路１は、ダウン・コンバージョン又はブースト・コンバージョンを実施することができる。その場合には、電極１９及び２０は、複数の入力を構成し、電極１７及び１８は、複数の出力を構成する。
【００３４】
図３には、供給回路のインダクタ２の両端間の電圧と、この供給回路のインダクタ２を介した、得られる電流と、キャパシタ４の一部の両端間の得られる電圧とが示されている。（非理想的な）キャパシタ４の一部は、例えば、等価直列抵抗ＥＳＲと、等価直列インダクタンスＥＳＬと、望まれるキャパシタンスＣＡＰとを備える。これらの３つの部分の両端間の電圧の和が、補償すべきリップルを形成する。
【００３５】
図４には、供給回路の変換器６で実施しようとする同期整流の例が示されている。スイッチング信号Ｍと組み合わせた、インダクタ２の両端間の特定の電圧について、ＥＳＲ及びＥＳＬにより導出され、得られる電圧が示されている。水平の破線は、ゼロ・レベルを示す。Ｍ＝＋１又は−１である。その結果、換言すれば、図４には、抵抗又はインダクタンスなどインピーダンスの両端間で検出された信号を乗算したもののタイミングの影響が示されている。
【００３６】
それに対して、リップルは、スイッチング手段７のデューティ・サイクルに関連する信号で乗算される。この演算は同期乗算とも呼ばれ、例えばギルバート・セルを使用することによって実施することができる。その結果、リップルなど、デューティ・サイクルと相関される信号は、例えば負荷に起因する出力ノイズなど他の非相関信号から区別することができる。図４の上のグラフでは、スイッチング信号Ｍが、インダクタ２の両端間の電圧から、位相シフトされない形で導出され、図４の下のグラフでは、スイッチング信号Ｍが、インダクタ２の両端間の電圧から、位相シフトされた形（Ｍが、インダクタ２の両端間の電圧の極値の中点で符号を変える）で導出される。
【００３７】
スイッチング信号Ｍの増倍率が＋１／−１である場合の、整流器など同期乗算器は、スイッチング信号に相関された信号以外の信号を解消する狭帯域通過フィルタを実装する。その結果、負荷によって引き起こされる、供給回路の出力におけるノイズ信号は、リップルの補償に対して、もはやどんな影響も及ぼさない。図５におけるシミュレーション結果は、同期整流がＤＣ信号を生み出すことができることを示す。
【００３８】
図５には、供給回路１のインダクタ２の両端間の電圧と、供給回路１のキャパシタ４の一部の両端間の得られる電圧と、供給回路１の出力部での得られる整流されていない電圧及び整流された電圧（Ｖｏｕｔ及びＶｒｅｃ）とのシミュレーション結果が示されている。４つの上の電圧はＡＣ電圧であり、最も下の電圧は、整流された電圧である。
【００３９】
図６には、インダクタ２の両端間の電圧（ＶＬ）と、インダクタ２の両端間のこの電圧から導出された鋸歯電圧（Ｖ’ＲＩＰ）と、鋸歯電圧から導出された鋸歯電流（Ｉ’ＲＩＰ）と、乗算を介して鋸歯電流から導出された補償用電流（Ｉ  ＣＯＭ）とが示されている。前に述べ、シミュレーションしたように、信号は、同期整流を使用してリップルから導出される。この導出された信号は、積分することができ、図６における利得ユニットを駆動する利得信号Ｇをもたらすことができる。完全な打消し時には、導出された信号はゼロになり、利得信号Ｇの積分値は、それ以上増大しなくなる。補償用電流の値が高すぎると、反転されたリップル信号、及び導出された信号の負の値が生み出されることになる。その結果、これは、完全な打消しが得られるまで利得信号Ｇの減少を引き起こすことになる。
【００４０】
本発明による供給回路１は、単相状況（１つのインダクタ２）において、並びに、例えば各相がそれ自体のインダクタを有するように切り替えることができるいくつかの並列インダクタを有する多相状況において使用することができる。いくつかのインダクタは、それらの電流を補償電流と共に単一のノードに加えることができ、それらはすべて、共通インピーダンス３を介して出力に供給される。
【００４１】
その結果、スイッチング手段７に結合されたインダクタ２を備え、且つキャパシタ４を備える従来技術の供給回路は、本発明によれば、インダクタ２とキャパシタ４の間に位置するインピーダンス３と、電流注入器５と、キャパシタ４の両端間の出力電圧のリップルを補償するために電流注入器５を制御するための変換器６を備えるフィードバック・ループとを備える。インピーダンス３は、出力位置と異なる位置で補償用電流の注入を可能にし、これは、出力電圧のリップルの可能な検出数を増大し、出力キャパシタ４の性能及び必要とされる測定感度に対する相反する要件同士を区別する。変換器６は、インピーダンス３の両端間の、又はインピーダンス３とキャパシタ４の直列回路の両端間の電圧を測定する。インピーダンス３は、抵抗器又は他のインダクタを備える。
【００４２】
本発明による供給回路１は、第５の電極１５と第６の電極１６の間で電圧信号を供給する、換言すれば、キャパシタ４の両端間の出力電圧を負荷に供給する。本発明による方法は、第５の電極１５と第６の電極１６の間で電圧信号を供給する、換言すれば、キャパシタ４の両端間の出力電圧を負荷に供給するための、本発明による供給回路１を動作させる。従って、換言すれば、本発明による方法は、第５の電極１５と第６の電極１６の間で電圧信号を供給する、換言すれば、キャパシタ４の両端間の出力電圧を負荷に供給する。
【００４３】
上述の実施形態は、本発明を限定するのではなく例示すること、及び当業者なら、添付の特許請求の範囲から逸脱することなしに多数の代替の実施形態を設計することができることを理解されたい。動詞「備える」及びその活用形の使用は、特許請求の範囲内に述べられているもの以外の要素又はステップの存在を排除しない。本発明は、いくつかの異なる要素を備えるハードウェアによって、また適切にプログラムされたコンピュータによって実施することができる。いくつかの手段を列挙する装置請求項では、これらの手段のいくつかは、ハードウェアの、１つの同じ物品によって実施することができる。相互に異なる従属請求項に、ある方策が記載されていることだけでは、これらの方策の組合せを使用し、利益を得ることができないことを示してはいない。
【図面の簡単な説明】
【００４４】
【図１】本発明による供給回路を概略的に示す図である。
【図２】本発明による装置を概略的に示す図である。
【図３】供給回路のインダクタの両端間の電圧と、供給回路のインダクタを介した、得られる電流と、キャパシタの一部の両端間の得られる電圧とを示す図である。
【図４】供給回路の変換器で行われる同期整流の例を示す図である。
【図５】供給回路のインダクタの両端間の電圧と、供給回路のキャパシタの一部の両端間の得られる電圧と、供給回路の出力部での得られる整流されていない電圧及び整流された電圧とのシミュレーション結果を示す図である。
【図６】インダクタの両端間の電圧と、インダクタの両端間のこの電圧から導出された鋸歯電圧と、鋸歯電圧から導出された鋸歯電流と、乗算を介して鋸歯電流から導出された補償用電流とを示す図である。
【図１】
2009537112.tif 000003
【図２】
2009537112.tif 000004
【図３】
2009537112.tif 000005
【図４】
2009537112.tif 000006
【図５】
2009537112.tif 000007
【図６】
2009537112.tif 000008
【国際調査報告】
2009537112.tif 000009
2009537112.tif 000010